【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
独立に発光を制御可能な複数の光源と、
所定の周期内の点灯期間と消灯期間との比率であるデューティ比を、パルス幅変調により制御する制御手段と、
所定の測定期間に前記複数の光源のうちの測定対象の光源の輝度を測定する測定手段と、
を備え、
前記制御手段は、測定対象でない光源の前記点灯期間が、前記測定対象の光源の前記測定期間と重なる場合に、当該測定期間において前記測定対象でない光源を消灯させるとともに、当該消灯させる光源の前記点灯期間を伸長する照明装置。
【請求項２】
前記制御手段は、前記測定期間において消灯させる光源の前記パルス幅変調の周期のうち当該消灯が行われる周期又はその前後の周期であって点灯期間を伸長可能な周期の少なくともいずれかを伸長する請求項１に記載の照明装置。
【請求項３】
前記制御手段は、前記測定期間において消灯させる光源の当該消灯による輝度低下を低減するように前記パルス幅変調の点灯期間を伸長する請求項１又は２に記載の照明装置。
【請求項４】
前記パルス幅変調の各周期は、点灯期間で始まり消灯期間で終わるものであって、
前記制御手段は、消灯期間の消灯タイミングを遅らせることにより前記パルス幅変調の点灯期間を伸長する請求項１〜３のいずれか１項に記載の照明装置。
【請求項５】
前記パルス幅変調の各周期は、消灯期間で始まり点灯期間で終わるものであって、
前記制御手段は、点灯期間の点灯タイミングを早めることにより前記パルス幅変調の点灯期間を伸長する請求項１〜３のいずれか１項に記載の照明装置。
【請求項６】
前記制御手段は、前記測定期間において消灯させる光源の前記パルス幅変調の周期のうち当該消灯が行われる周期において点灯期間を伸長するとともに、当該点灯期間の伸長だけでは前記輝度低下を低減できない場合は、更に、当該消灯が行われる周期の前又は後の１以上の周期において点灯期間を伸長する請求項３〜５のいずれか１項に記載の照明装置。
【請求項７】
前記パルス幅変調の各周期は、点灯期間で始まり消灯期間で終わるものであり、
前記パルス幅変調のデューティ比は、前記パルス幅変調の周期ごとに変更可能であり、
前記制御手段は、デューティ比が100%の周期及びデューティ比が0%の周期の少なくともいずれか並びにデューティ比が100%以下の1個の周期からなる複数個の周期を単位として
光源を駆動することによりパルス幅変調の周波数より低い周波数で光源を点滅させるものであって、
前記制御手段は、前記測定期間において消灯させる光源の前記パルス幅変調の周期のうち当該消灯が行われる周期を含む前記複数個の周期おいて、当該消灯が行われる周期又はそれより後の周期であってデューティ比が100%未満の周期の点灯期間を後ろ方向へ伸長することにより前記パルス幅変調の点灯期間を伸長する請求項１〜３のいずれか１項に記載の照明装置。
【請求項８】
前記パルス幅変調の各周期は、消灯期間で始まり点灯期間で終わるものであり、
前記パルス幅変調のデューティ比は、前記パルス幅変調の周期ごとに変更可能であり、
前記制御手段は、デューティ比が0%の周期及びデューティ比が100%の周期の少なくともいずれか並びにデューティ比が100%以下の1個の周期からなる複数個の周期を単位として
光源を駆動することによりパルス幅変調の周波数より低い周波数で光源を点滅させるものであって、
前記制御手段は、前記測定期間において消灯させる光源の前記パルス幅変調の周期のうち当該消灯が行われる周期を含む前記複数個の周期において、当該消灯が行われる周期又はそれより前の周期であってデューティ比が100%未満の周期の点灯期間を前方向へ伸長することにより前記パルス幅変調の点灯期間を伸長する請求項１〜３のいずれか１項に記載の照明装置。
【請求項９】
前記制御手段は、前記デューティ比が100%未満の周期の点灯期間の伸長だけでは前記輝度低下を低減できない場合は、更に、当該周期の前又は後ろにあるデューティ比が0%の周期へ点灯期間を伸長する請求項７又は８に記載の照明装置。
【請求項１０】
請求項１〜９のいずれか１項に記載の照明装置を含む画像表示装置のバックライト装置であって、
前記複数の光源は、画像表示装置の画面の横方向及び縦方向に配置された複数の発光ブロックであるバックライト装置。
【請求項１１】
独立に発光を制御可能な複数の光源と、
所定の測定期間に前記複数の光源のうち測定対象の光源の輝度を測定する測定手段と、を備える照明装置の制御方法であって、
所定の周期内の点灯期間と消灯期間との比率であるデューティ比を、パルス幅変調により制御する制御工程と、
測定対象でない光源の前記点灯期間が、前記測定対象の光源の前記測定期間と重なる場合に、当該測定期間において前記測定対象でない光源を消灯させるとともに、当該消灯させる光源の前記点灯期間を伸長する工程と、
を有する照明装置の制御方法。
【請求項１２】
前記制御工程では、前記測定期間において消灯させる光源の前記パルス幅変調の周期のうち当該消灯が行われる周期又はその前後の周期であって点灯期間を伸長可能な周期の少なくともいずれかを伸長する請求項１１に記載の照明装置の制御方法。
【請求項１３】
前記制御工程では、前記測定期間において消灯させる光源の当該消灯による輝度低下を低減するように前記パルス幅変調の点灯期間を伸長する請求項１１又は１２に記載の照明
装置の制御方法。
【請求項１４】
前記パルス幅変調の各周期は、点灯期間で始まり消灯期間で終わるものであって、
前記制御工程では、消灯期間の消灯タイミングを遅らせることにより前記パルス幅変調の点灯期間を伸長をする請求項１１〜１３のいずれか１項に記載の照明装置の制御方法。
【請求項１５】
前記パルス幅変調の各周期は、消灯期間で始まり点灯期間で終わるものであって、
前記制御工程では、点灯期間の点灯タイミングを早めることにより前記パルス幅変調の点灯期間を伸長する請求項１１〜１３のいずれか１項に記載の照明装置の制御方法。
【請求項１６】
前記制御工程では、前記測定期間において消灯させる光源の前記パルス幅変調の周期のうち当該消灯が行われる周期において点灯期間を伸長するとともに、当該点灯期間の伸長だけでは前記輝度低下を低減できない場合は、更に、当該消灯が行われる周期の前又は後の１以上の周期において点灯期間を伸長する請求項１３〜１５のいずれか１項に記載の照明装置の制御方法。
【請求項１７】
前記パルス幅変調の各周期は、点灯期間で始まり消灯期間で終わるものであり、
前記パルス幅変調のデューティ比は、前記パルス幅変調の周期ごとに変更可能であり、
前記制御工程では、デューティ比が100%の周期及びデューティ比が0%の周期の少なくともいずれか並びにデューティ比が100%以下の1個の周期からなる複数個の周期を単位とし
て光源を駆動することによりパルス幅変調の周波数より低い周波数で光源を点滅させるものであって、
前記制御工程では、前記測定期間において消灯させる光源の前記パルス幅変調の周期のうち当該消灯が行われる周期を含む前記複数個の周期において、当該消灯が行われる周期又はそれより後の周期であってデューティ比が100%未満の周期の点灯期間を後ろ方向へ伸長することにより前記パルス幅変調の点灯期間を伸長する請求項１１〜１３のいずれか１項に記載の照明装置の制御方法。
【請求項１８】
前記パルス幅変調の各周期は、消灯期間で始まり点灯期間で終わるものであり、
前記パルス幅変調のデューティ比は、前記パルス幅変調の周期ごとに変更可能であり、
前記制御工程では、デューティ比が0%の周期及びデューティ比が100%の周期の少なくともいずれか並びにデューティ比が100%以下の1個の周期からなる複数個の周期を単位とし
て光源を駆動することによりパルス幅変調の周波数より低い周波数で光源を点滅させるものであって、
前記制御工程では、前記測定期間において消灯させる光源の前記パルス幅変調の周期のうち当該消灯が行われる周期を含む前記複数個の周期において、当該消灯が行われる周期又はそれより前の周期であってデューティ比が100%未満の周期の点灯期間を前方向へ伸長することにより前記パルス幅変調の点灯期間を伸長する請求項１１〜１３のいずれか１項に記載の照明装置の制御方法。
【請求項１９】
前記制御工程では、前記デューティ比が100%未満の周期の点灯期間の伸長だけでは前記輝度低下を低減できない場合は、更に、当該周期の前又は後ろにあるデューティ比が0%の周期へ点灯期間を伸長する請求項１７又は１８に記載の照明装置の制御方法。
【請求項２０】
前記照明装置を含む画像表示装置のバックライト装置の制御方法であって、
前記複数の光源は、画像表示装置の画面の横方向及び縦方向に配置された複数の発光ブロックであり、請求項１１〜１９のいずれか１項に記載の各工程を含むバックライト装置の制御方法。
【手続補正２】
【補正対象書類名】明細書
【補正対象項目名】００２０
【補正方法】変更
【補正の内容】
【００２０】
本発明は、独立に発光を制御可能な複数の光源と、
所定の周期内の点灯期間と消灯期間との比率であるデューティ比を、パルス幅変調により制御する制御手段と、
所定の測定期間に前記複数の光源のうちの測定対象の光源の輝度を測定する測定手段と、
を備え、
前記制御手段は、測定対象でない光源の前記点灯期間が、前記測定対象の光源の前記測定期間と重なる場合に、当該測定期間において前記測定対象でない光源を消灯させるとともに、当該消灯させる光源の前記点灯期間を伸長する照明装置である。
【手続補正３】
【補正対象書類名】明細書
【補正対象項目名】００２１
【補正方法】変更
【補正の内容】
【００２１】
本発明は、独立に発光を制御可能な複数の光源と、
所定の測定期間に前記複数の光源のうち測定対象の光源の輝度を測定する測定手段と、を備える照明装置の制御方法であって、
所定の周期内の点灯期間と消灯期間との比率であるデューティ比を、パルス幅変調により制御する制御工程と、
測定対象でない光源の前記点灯期間が、前記測定対象の光源の前記測定期間と重なる場合に、当該測定期間において前記測定対象でない光源を消灯させるとともに、当該消灯させる光源の前記点灯期間を伸長する工程と、
を有する照明装置の制御方法である。